【手続補正書】
【提出日】平成20年5月28日(2008.5.28)
【手続補正１】
【補正対象書類名】特許請求の範囲
【補正対象項目名】全文
【補正方法】変更
【補正の内容】
【特許請求の範囲】
【請求項１】
担体、非導電性着色剤、吸収性基材と化学的に相互作用することのできる薬剤、および前記相互作用を促進するための触媒を含む、吸収性基材に画像を印刷するのに適したインク組成物であって、ポリオールを実質的に欠いている組成物。
【請求項２】
第１液および第２液を含む、基材に画像を印刷するのに適したインク組成物であって、  前記第１液が担体、着色剤、および基材と化学的に相互作用することのできる薬剤を含み、さらに前記第２液が湿潤組成物および触媒を含むか、または
前記第１液が担体、着色剤、および触媒を含み、さらに前記第２液が湿潤組成物および基材と化学的に相互作用することのできる薬剤を含み、
前記湿潤組成物がインク組成物と前記基材の表面の少なくとも１つの結合部位との係合を妨げることができ、前記触媒が前記相互作用を促進するためのものであり、
前記組成物がポリオールを実質的に欠いている、インク組成物。
【請求項３】
基材に画像を印刷する方法であって、請求項１に記載のインク組成物を用意し、前記インク組成物を表面に塗布して基材上に画像を形成することを含む方法。
【請求項４】
基材に画像を印刷する方法であって、請求項２に記載のインク組成物を用意し、基材の表面の少なくとも一部分を前記インク組成物の前記第２液に接触させて前記表面の湿潤部分を設け、前記表面の前記湿潤部分に前記インク組成物の前記第１液を塗布して基材上に画像を形成することを含む方法。
【請求項５】
前記部分は表面の予め定められた部分である請求項４に記載の方法。
【請求項６】
表面の前記湿潤部分における前記組成物の前記第２液の密度は、表面の前記湿潤部分１ｃｍ２当たり約０．０１グラムから１ｃｍ２当たり約２グラムの範囲である請求項４に記載の方法。
【請求項７】
インク組成物の塗布後に画像を硬化することをさらに含む請求項３または４に記載の方法。
【請求項８】
インク組成物の塗布はデジタル処理で達成される請求項３または４に記載の方法。
【請求項９】
請求項３に記載の方法によって作成された印刷画像を有する基材。
【請求項１０】
請求項４に記載の方法によって作成された印刷画像を有する基材。
【請求項１１】
前記基材との前記化学的相互作用は、前記基材内に存在する少なくとも１つの官能基との相互作用を含む請求項１〜１０のいずれかに記載のインク組成物、方法または基材。
【請求項１２】
前記少なくとも１つの官能基はアミン、アミド、カルボキシル、ヒドロキシル、およびチオールから構成される群から選択される請求項１１に記載のインク組成物、方法または基材。
【請求項１３】
前記基材は織布、紙、木材、およびプラスチックから構成される群から選択される請求項１〜１０のいずれかに記載のインク組成物、方法または基材。
【請求項１４】
前記織布はウール、絹、木綿、亜麻、大麻、苧麻、ジュート、アセテート布、アクリル布、ラステックス、ナイロン、ポリエステル、レーヨン、ビスコース、スパンデックス、金属複合物、炭素または炭化複合物、およびそれらの任意の組合せから構成される群から選択される請求項１３に記載のインク組成物、方法または基材。
【請求項１５】
前記基材は織布から作られた衣類である請求項１２に記載のインク組成物、方法または基材。
【請求項１６】
前記織布はウール、絹、木綿、亜麻、大麻、苧麻、ジュート、アセテート布、アクリル布、ラステックス、ナイロン、ポリエステル、レーヨン、ビスコース、スパンデックス、金属複合物、炭素または炭化複合物、およびそれらの任意の組合せから構成される群から選択される請求項１５に記載のインク組成物、方法または基材。
【請求項１７】
前記織布は木綿を含む請求項１６に記載のインク組成物、方法または基材。
【請求項１８】
前記印刷はインクジェット印刷によって達成される請求項１〜１０のいずれかに記載のインク組成物、方法または基材。
【請求項１９】
インク組成物は、室温で約１センチポアズから約１５０センチポアズの範囲のブルックフィールド粘度を有する請求項１８に記載のインク組成物、方法または基材。
【請求項２０】
インク組成物は、１ｃｍ当たり約２５ダインから１ｃｍ当たり約５５ダインの範囲の表面張力を有する請求項１８に記載のインク組成物、方法または基材。
【請求項２１】
インク組成物は１ミクロンより小さい最大粒径を有する請求項１８に記載のインク組成物、方法または基材。
【請求項２２】
インク組成物は１ｃｍ当たり約５０オームから１ｃｍ当たり約２０００オームの範囲の電気抵抗を有する請求項１８に記載のインク組成物、方法または基材。
【請求項２３】
インク組成物は１秒当たり約１２００メートルから１秒当たり約１８００メートルの範囲の音速を有する請求項１８に記載のインク組成物、方法または基材。
【請求項２４】
インク組成物は室温で約１６．５センチポアズのブルックフィールド粘度、１ｃｍ当たり約３１ダインの表面張力、および１ミクロンより小さい最大粒径を有する請求項１８に記載のインク組成物、方法または基材。
【請求項２５】
前記担体は水性担体および非水性担体から構成される群から選択される請求項１〜１０のいずれかに記載のインク組成物、方法または基材。
【請求項２６】
前記非水性担体はグリコールエーテル、グリコールエーテルアセテート、ケトン、アルカン、アルケン、ハロゲン化アルカン、アルコール、アリール、およびそれらの任意の組合せから構成される群から選択される請求項２５に記載のインク組成物、方法または基材。
【請求項２７】
前記着色剤の濃度は、インク組成物の総重量の約０．１重量パーセントから約４０重量パーセントの範囲である請求項１〜１０のいずれかに記載のインク組成物、方法または基材。
【請求項２８】
基材の表面と化学的に相互作用することのできる前記薬剤は架橋剤である請求項１〜１０のいずれかに記載のインク組成物、方法または基材。
【請求項２９】
前記架橋剤は、アルデヒド系架橋剤、ポリイソシアネート系架橋剤、シラン系架橋剤、過酸化物系架橋剤、エステル系架橋剤、アミド系架橋剤、およびビニル系架橋剤から構成される群から選択される請求項２８に記載のインク組成物、方法または基材。
【請求項３０】
前記アルデヒド系架橋剤は変性メラミンホルムアルデヒドである請求項２８に記載のインク組成物、方法または基材。
【請求項３１】
基材の表面と化学的に相互作用することのできる前記薬剤の濃度は、インク組成物の総重量の約０．１重量パーセントから約６０重量パーセントの範囲である請求項１〜１０のいずれかに記載のインク組成物、方法または基材。
【請求項３２】
前記触媒は酸である請求項１〜１０のいずれかに記載のインク組成物、方法または基材。
【請求項３３】
前記酸はジノニルナフタレンスルホン酸、ジノニルナフタレンジスルホン酸、ドデシルベンゼンスルホン酸、トルエンスルホン酸、リン酸アルキルおよびリン酸アリールから構成される群から選択される請求項３２に記載のインク組成物、方法または基材。
【請求項３４】
前記触媒の濃度はインク組成物の総重量の約０．０１重量パーセントから約１５重量パーセントの範囲である請求項１〜１０のいずれかに記載のインク組成物、方法または基材。
【請求項３５】
前記濃度はインク組成物の総重量の約０．１重量パーセントから約１０重量パーセントの範囲である請求項３４に記載のインク組成物、方法または基材。
【請求項３６】
アミン安定剤、アルコール安定剤、非反応性薬剤、柔軟剤／可塑剤、分散剤、表面活性剤、およびイオン化物質から構成される群から選択される少なくとも１種の追加成分をさらに含む請求項１〜１０のいずれかに記載のインク組成物、方法または基材。
【請求項３７】
インク組成物の前記第２液は、インク組成物の前記第１液の表面張力より低い表面張力を有する請求項２または１０のいずれかに記載のインク組成物、方法または基材。
【請求項３８】
インク組成物の前記第２液の前記表面張力は、インク組成物の前記第１液の前記表面張力より、１ｃｍ当たり少なくとも２ダイン低い請求項３７に記載のインク組成物、方法または基材。
【請求項３９】
インク組成物の前記第２液は、１ｃｍ当たり５０ダインより低い表面張力を有する請求項２または１０のいずれかに記載のインク組成物、方法または基材。
【請求項４０】
インク組成物の前記第２液の前記表面張力は、１ｃｍ当たり約３５ダインから１ｃｍ当たり約１５ダインの範囲である請求項３９に記載のインク組成物、方法または基材。
【請求項４１】
インク組成物の前記第２液の前記表面張力は、１ｃｍ当たり約２５ダインから１ｃｍ当たり約１０ダインの範囲である請求項３９に記載のインク組成物、方法または基材。
【請求項４２】
インク組成物の前記第２液は水を含む請求項２または１０のいずれかに記載のインク組成物、方法または基材。
【請求項４３】
インク組成物の前記第２液は少なくとも１種の有機溶剤を含む請求項２または１０のいずれかに記載のインク組成物、方法または基材。
【請求項４４】
前記少なくとも１種の有機溶剤はアルコール、ケトン、エーテル、アルキルポリシロキサン、アルカン、アルケン、シクロアルカン、シクロアルケン、アリール、ヘテロ脂環、ヘテロアリール、およびそれらの任意の組合せから構成される群から選択される請求項４３に記載のインク組成物、方法または基材。
【請求項４５】
前記アルコールはメタノール、エタノール、プロパノール、２−プロパノール、１−ブタノール、２−ブタノールおよびペンタノールから構成される群から選択される請求項４４に記載のインク組成物、方法または基材。
【請求項４６】
前記アルカンはヘキサン、ヘプタン、オクタン、石油エーテル、塩化ｔ−ブチル、塩化イソブチル、ペルフルオロヘキサン、ペルフルオロヘプタン、およびペルフルオロオクタンから構成される群から選択される請求項４４に記載のインク組成物、方法または基材。
【請求項４７】
前記少なくとも１種の有機溶剤は１００℃より低い沸点を有する請求項４３に記載のインク組成物、方法または基材。
【請求項４８】
インク組成物の前記第２液は、アミン安定剤、アルコール安定剤、非反応性薬剤、柔軟剤／可塑剤、表面活性剤、表面張力調整剤、粘度調整剤、増粘剤、およびそれらの任意の組合せから構成される群から選択される少なくとも１種の薬剤をさらに含む請求項４３に記載のインク組成物、方法または基材。
【請求項４９】
前記少なくとも１種の薬剤の濃度は、前記湿潤組成物の総重量の約０．０１重量パーセントから約７５重量パーセントの範囲である請求項４３に記載のインク組成物、方法または基材。